(57)【要約】【課題】一連の各工程からなる作業工程を撮影装置で記録する際の撮影工程データを効率的に作成できるようにする。【解決手段】本発明に係るパーソナルコンピュータ１によれば、ＣＰＵ２は、積算ソフトデータ、固定データ、ＣＡＤソフトデータのうち選択されたデータから、撮影工程データベースに必要な項目のデータを抽出し、撮影工程データベースに設定して撮影工程データファイルを作成する。【選択図】  図３
2004234179.tif 000002
【特許請求の範囲】
【請求項１】
一連の各工程からなる作業工程の作業開始に先立った計画時に作成された作業工程のデータファイルを取得する取得手段と、
この取得されたデータファイルから、撮影した画像の記録を必要とする撮影工程に係るデータを抽出する抽出手段と、
前記抽出されたデータに基づいて撮影工程データファイルを作成するファイル作成手段と、
を備えたことを特徴とする撮影工程データ作成装置。
【請求項２】
前記作成された撮影工程データファイルを撮影装置に送信する送信手段を備えたことを特徴とする請求項１に記載の撮影工程データ作成装置。
【請求項３】
前記データファイルは、工事の見積り時に作成された積算データファイルであることを特徴とする請求項１又は２に記載の撮影工程データ作成装置。
【請求項４】
前記データファイルは、工事記録写真の撮影基準が格納された固定データファイルであることを特徴とする請求項１〜３の何れか一項に記載の撮影工程データ作成装置。
【請求項５】
前記データファイルは、設計時に作成されたＣＡＤデータファイルであることを特徴とする請求項１〜４の何れか一項に記載の撮影工程データ作成装置。
【請求項６】
ＣＡＤデータファイルの設計図面を読み取る読み取り装置から設計図面のデータを受信する受信手段と、
前記受信された設計図面を前記撮影工程データファイル中の各データと対応付ける対応付け手段を備えたことを特徴とする請求項５に記載の撮影工程データ作成装置。
【請求項７】
前記受信された設計図面の所定の図形を認識し、撮影場所データを取得する認識手段を備えたことを特徴とする請求項５又は６に記載の撮影工程データ作成装置。
【請求項８】
コンピュータに、
一連の各工程からなる作業工程の作業開始に先立った計画時に作成された作業工程のデータファイルを取得する機能と、
この取得されたデータファイルから、撮影した画像の記録を必要とする撮影工程に係るデータを抽出する機能と、
前記抽出されたデータに基づいて撮影工程データファイルを作成する機能と、
を実現させるためのプログラム。
【発明の詳細な説明】
【０００１】
【発明の属する技術分野】
本発明は、工事現場における作業工程を撮影装置で記録する際の撮影工程データを作成する撮影工程データ作成装置及びプログラムに関する。
【０００２】
【従来の技術】
一般的に、公共工事等においては、出来形管理書類、品質管理書類、安全管理書類等の工事に関する報告資料を作成して発注者に提出する必要があるが、これらの報告資料として、工事現場における一連の各工程からなる作業工程を工事記録写真としてカメラで撮影しておくことも、重要な作業の一つである。通常、この工事記録写真を撮影する撮影工程は、工事に先立って公共事業体等の発注者と工事施工会社の施工責任者が打ち合わせをして決定されており、工事現場においてはこの撮影工程に従って撮影を行う必要があり、工事に関する報告資料の作成には、多くの手間がかかる。
【０００３】
そこで、報告資料の作成を容易に行うために、特許文献１には、数量計算書、出来形管理書類、品質管理書類等の作成をコンピュータにより行う舗装工事管理システムが開示されている。
【０００４】
【特許文献１】
特開平９−５９９１７号公報
【０００５】
【発明が解決しようとする課題】
しかしながら、特許文献１において、コンピュータで種々の計算を行って報告資料を作成することはできるが、工事記録写真の撮影工程の管理は別途行う必要がある。
【０００６】
現場において、撮影工程に従って撮影をもれなく行うには、撮影すべき種類の作業工程や撮影場所等を印刷した管理資料を見ながら取り忘れのないようにしなければならず、非常に神経を使う煩雑な作業である。そこで、撮影工程に従って撮影をナビゲーションする撮影装置が提案されている。
【０００７】
この撮影装置でナビゲーションを行うのに必要な撮影工程データは、パーソナルコンピュータ等で手作業で入力され、撮影装置にダウンロードする必要がある。しかしながら、この撮影工程データの入力作業も手間のかかる作業であった。
【０００８】
本発明は、一連の各工程からなる作業工程を撮影装置で記録する際の撮影工程データを効率的に作成できるようにすることである。
【０００９】
【課題を解決するための手段】
上記課題を解決するため、請求項１に記載の発明は、
一連の各工程からなる作業工程の作業開始に先立った計画時に作成された作業工程のデータファイルを取得する取得手段と、
この取得されたデータファイルから、撮影した画像の記録を必要とする撮影工程に係るデータを抽出する抽出手段と、
前記抽出されたデータに基づいて撮影工程データファイルを作成するファイル作成手段と、
を備えたことを特徴としている。
【００１０】
請求項８に記載の発明のプログラムは、
コンピュータに、
一連の各工程からなる作業工程の作業開始に先立った計画時に作成された作業工程のデータファイルを取得する機能と、
この取得されたデータファイルから、撮影した画像の記録を必要とする撮影工程に係るデータを抽出する機能と、
前記抽出されたデータに基づいて撮影工程データファイルを作成する機能と、
を実現させるためのプログラムであることを特徴としている。
【００１１】
請求項１、８に記載の発明によれば、一連の各工程からなる作業工程の作業開始に先立った計画時に作成された作業工程のデータファイルを取得し、取得されたデータファイルから、撮影した画像の記録を必要とする撮影工程に係るデータを抽出し、抽出されたデータに基づいて撮影工程データファイルを作成する。従って、一連の各工程からなる作業工程の作業開始に先立った計画時に作成されたデータを用いて、撮影工程データファイルを効率的に作成することができる。
【００１２】
【発明の実施の形態】
以下、図を参照して本発明の実施の形態を詳細に説明する。
まず、構成を説明する。
図１は、本実施の形態における撮影システム１００のシステム構成を示す図であり、撮影工程データ作成装置であるパーソナルコンピュータ１と、撮影装置であるデジタルカメラ２０とが無線通信によりデータ送受信される場合を示す。
また、図２は、本実施の形態における撮影システム２００のシステム構成を示す図であり、撮影工程データ作成装置であるパーソナルコンピュータ１と、撮影装置であるデジタルカメラ２０とが有線通信によりデータ送受信される場合を示す。
これら図１及び図２に示す各撮影システム１００，２００において使用されるパーソナルコンピュータ１及びデジタルカメラ２０は、無線通信機能と有線通信機能を備えるため、両方のシステム形態に対応可能であるものとする。
【００１３】
図３は、パーソナルコンピュータ１の機能的構成を示すブロック図である。図３において、パーソナルコンピュータ１は、ＣＰＵ２、入力部３、ＲＡＭ４、外部Ｉ／Ｆ５、表示部６、記憶部７及び通信制御部８により構成されており、各部はバス９により接続されている。
【００１４】
ＣＰＵ（Ｃｅｎｔｒａｌ  Ｐｒｏｃｅｓｓｉｎｇ  Ｕｎｉｔ  ）２は、記憶部７に記憶されているシステムプログラムを読み出し、ＲＡＭ４内に形成されたワークメモリに展開し、該システムプログラムに従って各部を制御する。また、ＣＰＵ２は、記憶部７に記憶されている撮影工程データ作成処理プログラム、積算ソフトデータからの撮影工程データ作成処理プログラム、固定データからの撮影工程データ作成処理プログラム、ＣＡＤデータからの撮影工程データ作成処理プログラム等の各種処理プログラムを読み出してワークメモリに展開し、後述する撮影工程データ作成処理を実行し、それらの処理結果をＲＡＭ４内のワークメモリに記憶すると共に表示部６に表示させる。そして、ワークメモリに格納した処理結果を記憶部７内の指定の保存先に保存させる。
【００１５】
ＣＰＵ２は、撮影工程データ作成処理において、撮影工程データに入力するデータとして積算ソフトデータが選択されると、積算ソフトデータからの撮影工程データ作成処理を実行し、積算ソフトデータのうち選択された積算データファイルを取り込んでＲＡＭ４に展開し、撮影工程データとして必要な項目と一致する工種、種別、細別データを抽出する。次いで、ＣＰＵ２は、積算データファイルのヘッダ情報から工事件名を取得して撮影工程データ作成画面の工事件名フィールドに表示し、抽出された工種データを工種表示フィールドに表示し、抽出された種別データを種別表示フィールドに表示し、抽出された細別データを細別表示フィールドに表示する。入力部３から確定が指示されると、ＣＰＵ２は、工事件名を作成する撮影工程データファイルのヘッダ情報として格納するとともに、表示されたデータを撮影工程データベースの対応するフィールドのデータとして設定する。
【００１６】
また、撮影工程データに入力するデータとして固定データ（詳細後述）が選択されると、ＣＰＵ２は、固定データファイルからの撮影工程データ作成処理を実行し、固定データを取り込んでＲＡＭ４に展開し、撮影工程データとして必要な項目と一致する区分、工種、種別、細別、撮影時期データを抽出する。次いで、ＣＰＵ２は、抽出されたデータの区分、工種、種別、細別及び撮影時期のデータからなる各データについて、撮影工程データベースに工種、種別、細別の全てのデータが一致するデータがあるかを検索する。一致するデータが存在した場合は、ＣＰＵ２は、区分データ、撮影時期データを撮影工程データ作成画面中の一致するデータの対応するフィールドに、既に設定済みのデータとは色を変えて表示する。一致するデータが存在しなかった場合は、新規データとして、各フィールドのデータを撮影工程データ作成画面の対応するフィールドに設定済みのデータとは色を変えて表示する。入力部３から確定が指示されると、ＣＰＵ２は、表示された未設定データを撮影工程データベースに設定する。
【００１７】
また、撮影工程データに入力するデータとしてＣＡＤデータが選択されると、ＣＰＵ２は、ＣＡＤデータからの撮影工程データ作成処理を実行し、ＣＡＤデータ（テキストデータ）を取り込んでＲＡＭ４に展開し、撮影工程データとして必要な項目と一致する工種、種別、細別、撮影場所データを抽出する。次いで、ＣＰＵ２は、抽出されたデータの工種、種別、細別及び撮影場所のデータからなる各データについて、撮影工程データベースに工種、種別、細別の全てのデータが一致するデータがあるかを検索する。一致するデータが存在した場合は、ＣＰＵ２は、撮影場所データを撮影工程データ作成画面中の一致するデータの対応するフィールドに、既に設定済みのデータとは色を変えて表示する。一致するデータが存在しなかった場合は、ＣＰＵ２は、新規データとして、各フィールドのデータを撮影工程データ作成画面の対応するフィールドに設定済みのデータとは色を変えて表示する。入力部３から確定が指示されると、ＣＰＵ２は、表示された未設定データを撮影工程データベースに設定する。
【００１８】
また、ＣＰＵ２は入力部３からの指示に応じて、撮影工程データ作成処理において作成された撮影工程データベースを撮影工程データファイルとして記憶部７に保存、或いはデジタルカメラ２０に送信する。
【００１９】
入力部３は、文字／英数字入力キー、カーソルキー、及び各種機能キー等を備えたキーボードと、ポインティングデバイスであるマウスと、を備えて構成され、キーボードで押下操作されたキーの押下信号とマウスによる操作信号とを、入力信号としてＣＰＵ２に出力する。
【００２０】
ＲＡＭ（Ｒａｎｄｏｍ  Ａｃｃｅｓｓ  Ｍｅｍｏｒｙ）４は、ＣＰＵ２により実行されるシステムプログラム、撮影工程データ作成処理プログラムを始めとする各種処理プログラム、各処理において処理中のデータ、処理結果などを一時的に記憶するワークエリアを形成する。
【００２１】
外部Ｉ／Ｆ５は、通信用ケーブル等によりデジタルカメラ２０内の外部Ｉ／Ｆ２４と接続され、ＣＰＵ２の制御によりデジタルカメラ２０内の外部Ｉ／Ｆ２４との間でデータ送受信を行い、受信データをＣＰＵ２に出力するといった有線通信機能を有する。
【００２２】
表示部６は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等により構成され、ＣＰＵ２から入力される表示信号の指示に従って、表示画面上に撮影工程データ作成画面等を表示する。
【００２３】
記憶部７は、撮影工程データ作成装置１に対応するシステムプログラム、撮影工程データ作成処理プログラムを始めとする各種処理プログラム、各種データ等が予め記憶されており、この記憶部７は、磁気的、光学的記録媒体、若しくは半導体メモリなどＣＰＵ２で読取り可能な記録媒体を含んだ構成である。この記録媒体はＣＤ−ＲＯＭ（Ｃｏｍｐａｃｔ  Ｄｉｓｃ  Ｒｅａｄ  Ｏｎｌｙ  Ｍｅｍｏｒｙ）、メモリカード等の可搬型の媒体やハードディスク等の固定的な媒体を含む。また、この記録媒体に格納するプログラム、データ等は、その一部若しくは全部をサーバやクライアントからＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）などのネットワークを介して通信制御部５から受信する構成にしてもよく、更に、記録媒体はネットワーク上に構築されたサーバやクライアントの記録媒体であってもよい。
【００２４】
本実施の形態において、記憶部７は、図３に示すように、積算ソフト７１、固定データファイル７２、ＣＡＤソフト７３を有している。
積算ソフト７１は、工事毎の工事費の見積りを行うソフトウエアであり、各工事毎に見積り時に作成した積算データを格納する積算データファイルを有している。積算データファイルには、例えば、図４に示すように、工種、種別、細別、単位、単価、見積り金額、値引き、合計等を示すデータがデータベースとして格納されている。
【００２５】
固定データファイル７２は、例えば、国土交通省により提示された「デジタル工事記録写真撮影基準（案）」等の工事記録写真撮影のガイドラインを示すデータが格納されている。固定データファイル７２には、例えば、図５に示すように、区分（例えば、▲１▼着手前及び完成写真、▲２▼施工状況写真、▲３▼安全管理写真、▲４▼材料検査写真、▲５▼品質管理写真、▲６▼出来形管理写真、▲７▼その他の中の一つ）、工種、種別、細別、撮影時期、撮影頻度等を示すデータがデータベースとして格納されている。
【００２６】
ＣＡＤソフト７３は、設計図面を作成するソフトウエアであり、各工事毎に設計時に作成したＣＡＤデータファイルを有している。ＣＡＤデータには、工事記録写真の撮影計画情報のテキストデータ等が含まれる。図６に、その一例を示す。図６に示すように、ＣＡＤデータファイルには工事記録写真の撮影計画情報として、工種、種別、細別、撮影箇所、撮影角度、撮影時期等を示すデータがデータベースとして格納されている。
【００２７】
また、記憶部７は、工事記録写真の撮影工程として必要な区分、工種、細別、タイトル、撮影時期、撮影場所、工期、開始時期、コメント等からなる撮影工程データベースフィールドデータを格納している。
【００２８】
通信制御部８は、アンテナ１１が接続され、デジタルカメラ２０内の通信制御部２８と無線通信可能な無線通信制御機能を有し、ＣＰＵ２の制御により無線通信動作を実行し、作成された撮影工程データファイルや画像情報をデジタルカメラ２０に送信し、デジタルカメラ２０から各撮影工程データに対応付けられた撮影画像等を受信する。
【００２９】
図７は、デジタルカメラ２０の機能的構成を示すブロック図である。図４において、デジタルカメラ２０は、ＣＰＵ２１、入力部２２、ＲＡＭ２３、外部Ｉ／Ｆ２４、表示部２５、撮像部２６、記憶部２７、通信制御部２８及びＧＰＳ部２９により構成されており、各部はバス３０により接続されている。
【００３０】
ＣＰＵ２１は、記憶部２７に記憶されているシステムプログラムや各種処理プログラムを読み出し、ＲＡＭ２３内に形成されたワークメモリに展開し、該システムプログラムに従って各部を制御する。また、ＣＰＵ２１は、ＲＡＭ２３に展開したプログラムに従って各種処理を実行し、それらの処理結果をＲＡＭ２３内のワークメモリに記憶すると共に表示部２５に表示させる。そして、ワークメモリに格納した処理結果を記憶部２７内の指定の保存先に保存させる。
【００３１】
入力部２２は、電源スイッチ、シャッター、撮影に関する各種設定スイッチ及びカーソルスイッチ等を備え、その各スイッチ操作に応じた操作信号をＣＰＵ２１に出力する。
【００３２】
ＲＡＭ２３は、ＣＰＵ２１により実行されるシステムプログラム、各種処理プログラム、各処理において処理中のデータ、処理結果などを一時的に記憶するワークエリアを形成する。
【００３３】
外部Ｉ／Ｆ２４は、通信用ケーブル等によりパーソナルコンピュータ１内の外部Ｉ／Ｆ５と接続され、ＣＰＵ２１の制御によりパーソナルコンピュータ１内の外部Ｉ／Ｆ５との間でデータ送受信を行い、受信データをＣＰＵ２１に出力するといった有線通信機能を有する。
【００３４】
表示部２５は、ＬＣＤ（Ｌｉｑｕｉｄ  Ｃｒｙｓｔａｌ  Ｄｉｓｐｌａｙ）等により構成され、ＣＰＵ２１から入力される表示信号の指示に従って、表示画面上に、撮影工程表等や撮影画像等を表示する。
【００３５】
撮像部２６は、撮像用の光学レンズユニットとＣＣＤ（Ｃｈａｒｇｅ  Ｃｏｕｐｌｅｄ  Ｄｅｖｉｃｅ  ）等の撮像素子を含む光電変換ユニット等により構成され、入力部２２おけるシャッター押下操作に応じてＣＰＵ２１から入力される撮影指示により、作業工程の撮影対象を撮像し、その撮像画像を光電変換して撮像画像データとしてＣＰＵ２１に出力する。
【００３６】
記憶部２７は、プログラム、データ等が予め記憶されており、この記憶部２７は、磁気的、光学的記録媒体、若しくは半導体メモリなどＣＰＵ２１で読取り可能な記録媒体を含んだ構成である。この記録媒体はＣＤ−ＲＯＭ、メモリカード等の可搬型の媒体やハードディスク等の固定的な媒体を含む。また、この記録媒体に格納するプログラムやデータは、その一部若しくは全部をサーバやクライアントからＷＡＮ、ＬＡＮなどのネットワークを介して通信制御部２８から受信する構成にしてもよく、更に、記録媒体はネットワーク上に構築されたサーバやクライアントの記録媒体であってもよい。
【００３７】
通信制御部２８は、アンテナ３１が接続され、パーソナルコンピュータ１内の通信制御部８と無線通信可能な無線通信制御機能を有し、ＣＰＵ２１の制御により無線通信動作を実行し、パーソナルコンピュータ１から撮影工程データファイルを受信したり、パーソナルコンピュータ１に各撮影工程データと対応付けられた撮影画像を送信したりする。即ち、デジタルカメラ２０は、撮影工程データファイルなどを受信したりするために、有線通信あるいは無線通信の何れにおいても対応可能となっている。
【００３８】
ＧＰＳ（Ｇｌｏｂａｌ  Ｐｏｓｉｔｉｏｎｉｎｇ  Ｓｙｓｔｅｍ）部２９は、複数のＧＰＳ衛星から発信されたＧＰＳ衛星信号を受信し、この受信したＧＰＳ衛星信号から自己の現在位置を算出し、算出した現在位置情報（例えば、経度、緯度、高度データ）をＣＰＵ２１に出力する。
【００３９】
次に、本実施の形態の動作を説明する。
図８に、パーソナルコンピュータ１のＣＰＵ２により実行される撮影工程データ作成処理を示す。この撮影工程データ作成処理により、積算データファイル、固定データファイル、ＣＡＤデータファイルのうち選択されたファイルを取得する取得手段、取得されたファイルから撮影した画像の記録を必要とする撮影工程に係るデータを抽出する抽出手段、抽出されたデータに基づいて撮影工程データファイルを作成するファイル作成手段が実現される。この場合、撮影工程としては橋梁工事、舗装工事、造成工事、建築工事などの工事別に撮影工程データファイルを作成するためのフォーム（項目が異なる）を用意しておき、そのフォームの何れかを選択することもでき、さらに、例えば、建築工事を選択した場合であっても、鉄骨建築工事、木造建築工事、寺社修復工事などのフォーム（項目が異なる）の何れかを選択することもできる。また、基準のフォームにおける項目の削除、追加などの編集を行なえるようにしても良い。
【００４０】
まず、表示部６により撮影工程データ作成画面６１が表示される（ステップＳ１）。図９に、撮影工程データ作成画面６１の一例を示す。図９に示すように、撮影工程データ作成画面６１には、作成する撮影工程データファイルに必要な項目（フィールド）や、撮影工程データ作成に使用するデータの選択入力部、各種操作ボタンが表示されている。この画面上で、撮影工程データ作成に使用するデータ（積算ソフトデータ、固定データ、ＣＡＤデータ）が選択されると（ステップＳ２）、処理はステップＳ３に移行する。
【００４１】
ステップＳ３において、積算ソフトデータの使用が設定されているか否かが判断され、積算ソフトデータの使用が設定されている場合（ステップＳ３；ＹＥＳ）、積算ソフトデータからの撮影工程データ作成処理が実行される（ステップＳ４）。積算ソフトデータの使用が設定されていない場合は（ステップＳ３；ＮＯ）、ステップＳ５に移行する。
【００４２】
図１０に積算ソフトデータからの撮影工程データ作成処理を示す。まず、表示部６に積算ソフト７１が保有する積算データファイル一覧画面が表示され、撮影工程データに取り込む積算データファイルが選択されると（ステップＳ１１）、選択された積算データファイルが取り込まれ、ＲＡＭ４に展開される（ステップＳ１２）。そして、当該積算データファイルから撮影工程データベースのフィールドと一致するフィールドのデータ、即ち工種、種別、細別フィールドのデータが抽出され、（ステップＳ１３）、積算データファイルのヘッダ情報の工事件名が撮影工程データ作成画面６１の工事件名表示フィールドに表示され（ステップＳ１４）、抽出された工種フィールドのデータが工種表示フィールドに表示され（ステップＳ１５）、抽出された種別フィールドのデータが種別表示フィールドに表示され（ステップＳ１６）、抽出された細別フィールドのデータが細別表示フィールドに表示される（ステップＳ１７）。
【００４３】
抽出されたデータが表示された後、確定の指示を待機し、指示されると（ステップＳ１８；ＹＥＳ）、各フィールドに表示されたデータが撮影工程データベースの対応するフィールドに設定される（ステップＳ２０）。一方、確定されずに、解除が指示されると（ステップＳ１９；ＹＥＳ）、図８のステップＳ５に移行する。
【００４４】
図８のステップＳ５において、固定データの使用が設定されているか否かが判断され、固定データの使用が設定されている場合（ステップＳ５；ＹＥＳ）、固定データからの撮影工程データ作成処理が実行される（ステップＳ６）。固定データの使用が設定されていない場合は（ステップＳ５；ＮＯ）、ステップＳ７に移行する。
【００４５】
図１１に固定データからの撮影工程データ作成処理を示す。まず、記憶部７から固定データファイル７２がとり込まれ、ＲＡＭ４に展開される（ステップＳ２１）。次いで、当該固定データファイル７２から撮影工程データベースのフィールドと一致するフィールドのデータ、即ち区分、工種、種別、細別フィールドのデータが抽出される（ステップＳ２２）。この抽出された区分、工種、種別、細別フィールドからなる各データについて、撮影工程データベースに既に格納されているデータに工種、種別及び細別のすべてが一致するデータが存在するか検索され（ステップＳ２３）、一致するデータが存在した場合は（ステップＳ２４；ＹＥＳ）、固定データファイル７２の未設定フィールドのデータ（区分データ、撮影時期データ）が、撮影工程データ作成画面６１における一致したデータの対応するフィールドに、既に設定済のデータとは色を変えて表示される（ステップＳ２５）。一致するデータが存在しなかった場合は（ステップＳ２４；ＮＯ）、各フィールドのデータが新規データとして撮影工程データ作成画面の再下位に、既に設定済のデータとは色を変えて表示される（ステップＳ２６）。抽出された全てのデータについての検索が完了するまで（ステップＳ２７；ＮＯ）、ステップＳ２３〜２６の処理が繰り返し実行される。抽出された全てのデータについての検索が完了すると（ステップＳ２７；ＹＥＳ）、確定の指示が待機され、確定が指示されると（ステップＳ２８；ＹＥＳ）、撮影工程データ作成画面に表示されているデータのうち、撮影工程データベースに未設定のデータが設定される（ステップＳ３０）。確定が指示されず（ステップＳ２８；ＮＯ）、解除が指示された場合（ステップＳ２９；ＹＥＳ）、図８のステップＳ７に移行する。
【００４６】
図８のステップＳ７において、ＣＡＤデータの使用が設定されているか否かが判断され、ＣＡＤデータの使用が設定されている場合（ステップＳ７；ＹＥＳ）、ＣＡＤデータからの撮影工程データ作成処理が実行される（ステップＳ８）。ＣＡＤデータの使用が設定されていない場合は、本処理は終了する。
【００４７】
図１２にＣＡＤデータからの撮影工程データ作成処理を示す。まず、表示部６にＣＡＤソフト７３が保有するＣＡＤデータファイル一覧画面が表示され、撮影工程データに取り込むＣＡＤデータファイルが選択されると（ステップＳ４１）、選択されたＣＡＤデータファイル（テキストデータ）がとり込まれ、ＲＡＭ４に展開される（ステップＳ４２）。次いで、ＣＡＤデータファイルから撮影工程データベースのフィールドと一致するフィールドのデータ、即ち工種、種別、細別、撮影場所フィールドのデータが抽出される（ステップＳ４３）。この抽出された工種、種別、細別、撮影場所フィールドからなる各データについて、撮影工程データベースに工種、種別及び細別のすべてが一致するデータが存在するか検索され（ステップＳ４４）、一致するデータが存在した場合は（ステップＳ４５；ＹＥＳ）、ＣＡＤデータの撮影場所データ等、未設定のフィールドのデータが撮影工程データ作成画面６１の対応するフィールドに、既に設定済のデータとは色を変えて表示される（ステップＳ４６）。一致するデータが存在しなかった場合は（ステップＳ４５；ＮＯ）、そのＣＡＤデータの各フィールドのデータが新規データとして撮影工程データ作成画面の再下位に、既に設定済のデータとは色を変えて表示される（ステップＳ４７）。全てのデータについての検索が完了するまで（ステップＳ４８；ＮＯ）、ステップＳ４４〜４７の処理が繰り返し実行される。全てのデータについての検索が完了すると（ステップＳ４８；ＹＥＳ）、確定の指示が待機され、確定が指示されると（ステップＳ４９；ＹＥＳ）、撮影工程データ作成画面に表示されているデータのうち、撮影工程データベースに未設定のデータが設定される（ステップＳ５１）。確定が指示されず（ステップＳ４９；ＮＯ）、解除が指示された場合（ステップＳ５０；ＹＥＳ）、図８の処理に戻り、本処理は終了する。
【００４８】
図１３に、上述した撮影工程データ作成処理において作成された撮影工程データファイルの一例を示す。なお、撮影工程データ作成処理において入力されなかったデータについては、手作業で入力することができる。
【００４９】
ここで、ＣＡＤデータからの撮影工程データ作成処理において、ＣＡＤデータに含まれる数値データや文字データを撮影工程データとして取り込んだが、ＣＡＤデータには、設計図面が存在し、この設計図面も有用なデータである。例えば、図１４に示すように工事記録写真撮影計画図においては、撮影場所が図面上で明示されている。そこで、図面そのものをイメージスキャナで読み込んで通信制御部８を介してパーソナルコンピュータ１に入力すると、ソフトウエア処理により、その中の撮影場所に関わる図形等のデータを自動認識し、撮影箇所のデータとして抽出する。撮影場所に関わるデータとは、図１４におけるカメラマーク等である。このように、設計図からも撮影場所等の有用なデータを入力することができる。また、設計図中の文字データ（例えば、設計図の題名等）を認識し、撮影工程データベースをその文字データで検索し、一致するデータを含む撮影工程データと設計図面の画像情報と対応付ける。これにより、各撮影工程データに完成予定図面等の画像情報を対応付けることができる。
【００５０】
例えば、図１５に示す外観画像の図面をイメージスキャナで読み取ると、図面中の「外観画像」というテキストデータが認識され、図１３の撮影工程データファイルの撮影場所フィールドが検索される。「外観画像」はデータＮｏ２４の撮影場所データと一致するので、読み取られた図面の画像データはデータＮｏ２４と対応付けられる。
【００５１】
以上説明したように、パーソナルコンピュータ１によれば、積算ソフトデータ、固定データ、ＣＡＤソフトデータの選択されたデータから、撮影工程データとして必要な項目のデータを抽出し、撮影工程データベースに設定して撮影工程データファイルを作成することにより、撮影工程データとして必要なデータの大部分を自動入力することができる。また、ＣＡＤにより作成された図面をイメージスキャナで読み取り、図形や文字を認識することにより、撮影場所を入力したり、撮影工程データに完成予定画像等の画像情報を対応付けることができる。従って、工事計画時に作成された積算ソフトデータ、固定データ、ＣＡＤデータを用いて、撮影工程データを効率的に作成することができる。
【００５２】
ここで、撮影システムにおいては、パーソナルコンピュータ１で作成された撮影工程データファイル及び各撮影工程データに対応付けられた画像情報は、記憶部７に記憶或いはデジタルカメラ２０に転送される。デジタルカメラ２０においては、パーソナルコンピュータ１から受信したこれらのデータに基づいて、図１６に示すような工事全体の撮影工程表や、日付毎の撮影工程一覧を作成して記憶部２７に保存し、ユーザからの指示に基づいて表示する。ユーザは撮影工程の表示に従って撮影する作業工程を確認しながら工事の作業状況の撮影を行うことができる。デジタルカメラ２０は、撮影画像を関連する撮影工程データと対応付けて記録し（例えば、撮影工程データのＮＯを撮影画像のヘッダ情報に格納する）、その記録した撮影画像をパーソナルコンピュータ１にアップロードする。
【００５３】
パーソナルコンピュータ１では、デジタルカメラ２０からアップロードされた撮影画像の撮影工程データ内容（タイトル等）を修正して、工事管理用ファイルに記録し、又は所定の管理フォーマットで印刷出力する。
【００５４】
なお、上記実施の形態における記述内容は、撮影システムの好適な一例であり、これに限定されるものではない。
例えば、上述した実施の形態における積算データファイル、固定データファイル、ＣＡＤデータファイル、撮影工程データファイルのデータ項目は一例でありこれに限定されるものではない。
【００５５】
また、各データファイルはリレーショナルデータベースとして説明したが、これに限定されない。
【００５６】
また、例えば土木工事においては、一式で請け負う会社もあるが、工事会社によっては得意とする橋梁工事、舗装工事、造成工事等の、専門工事を何度も請け負う場合が多い。そのため、一般的な工事記録写真撮影のガイドラインを示す固定データファイルには、工事会社によって必要のない工程が含まれてしまうことがある。そのため、固定データファイルは、専門工事業ごとに必要な撮影工程をテンプレートとして保存しておき、撮影工程データ作成で使用する固定データファイルを指定できるようにすることが望ましい。この専門工事業毎の固定データファイルは、デジタルカメラ２０から撮影画像と対応付けられた撮影工程データが送信された時に、撮影画像が対応付けられた工種、種別、細別等を利用して作成することもできる。
【００５７】
また、上述した撮影システムでは、パーソナルコンピュータ１とデジタルカメラ２０は、個別の構成としたが、例えば、カメラ一体型のコンピュータを利用し、撮影工程データの作成、撮影、編集、出力の全てを行う構成にしても良い。また、デジタルカメラ２０が積算データファイルや固定データ、ＣＡＤデータを通信により取り込んで、デジタルカメラ２０自体で撮影工程データファイルを作成するようにしてもよい。
【００５８】
また、カメラ一体型の携帯電話やＰＨＳを利用したり、カメラとしてデジタルムービーカメラを利用するようにしても良い。
【００５９】
また、既にデジタルカメラ２０に送信した撮影工程データファイルに対して、撮影工程データの追加が生じた場合、パーソナルコンピュータ１や、携帯電話等の通信機能を備えた装置から追加分の撮影工程データをデジタルカメラ２０に送信することにより、デジタルカメラ２０の撮影工程データファイルを更新するようにしてもよい。
【００６０】
その他、撮影システムの細部構成及び細部動作に関しても、本発明の趣旨を逸脱することのない範囲で適宜変更可能である。
【００６１】
【発明の効果】
本発明によれば、一連の各工程からなる作業工程の作業開始に先立った計画時に作成されたデータを用いて、撮影工程データファイルを効率的に作成することができる。
【図面の簡単な説明】
【図１】本発明を適用した一実施の形態における撮影システムの無線通信を利用した場合の構成を示す図である。
【図２】本発明を適用した一実施の形態における撮影システムの有線通信を利用した場合の構成を示す図である。
【図３】本実施の形態の撮影システムに適用されたパーソナルコンピュータ１の機能的構成を示すブロック図である。
【図４】図３の記憶部７に記憶された積算データファイルのデータ格納例を示す図である。
【図５】図３の記憶部７に記憶された固定データファイルのデータ格納例を示す図である。
【図６】図３の記憶部７に記憶されたＣＡＤデータファイルのデータ格納例を示す図である。
【図７】本実施の形態の撮影システムに適用されたデジタルカメラ２０の機能的構成を示すブロック図である。
【図８】図３のＣＰＵ２により実行される撮影工程データ作成処理を示すフローチャートである。
【図９】図３の表示部６に表示される撮影工程データ作成画面６１の一例を示す図である。
【図１０】図３のＣＰＵ２により実行される積算ソフトデータからの撮影工程データ作成処理を示すフローチャートである。
【図１１】図３のＣＰＵ２により実行される固定データからの撮影工程データ作成処理を示すフローチャートである。
【図１２】図３のＣＰＵ２により実行されるＣＡＤデータからの撮影工程データ作成処理を示すフローチャートである。
【図１３】図８の撮影工程データ作成処理により作成された撮影工程データファイルの一例を示す図である。
【図１４】ＣＡＤデータの設計図面の一例を示す図である。
【図１５】ＣＡＤデータの設計図面の一例を示す図である。
【図１６】デジタルカメラ２０において撮影工程データファイルに基づいて作成する撮影工程表の一例を示す図である。
【符号の説明】
１    パーソナルコンピュータ
２０    撮影装置
２、２１    ＣＰＵ
３、２２    入力部
４、２３    ＲＡＭ
５、２４    外部Ｉ／Ｆ
６、２５    表示部
２６    撮像部
７、２７    記憶部
８、２８    通信制御部
２９    ＧＰＳ部
９、３０    バス
１１、３１    アンテナ
【図１】
2004234179.tif 000003
【図２】
2004234179.tif 000004
【図３】
2004234179.tif 000005
【図４】
2004234179.tif 000006
【図５】
2004234179.tif 000007
【図６】
2004234179.tif 000008
【図７】
2004234179.tif 000009
【図８】
2004234179.tif 000010
【図９】
2004234179.tif 000011
【図１０】
2004234179.tif 000012
【図１１】
2004234179.tif 000013
【図１２】
2004234179.tif 000014
【図１３】
2004234179.tif 000015
【図１４】
2004234179.tif 000016
【図１５】
2004234179.tif 000017
【図１６】
2004234179.tif 000018